(57)【要約】【課題】回転ドラムや光学ユニット等の可動物を備える場合にメンテナンス時における安全性を向上させた画像記録装置を提供する。【解決手段】この画像記録装置は、記録紙を保持する回転ドラムと、回転ドラムの回転軸方向へ移動しながら回転ドラムに巻き付けられた記録紙に画像を記録する画像記録手段と、を筐体内に備え、筐体の外装カバーの開閉を検知する検知手段と、警告を発生させる警告手段と、を備え、検知手段が外装カバーの開放を検知し、可動物が作動状態となると警告手段が警告を発生する。【選択図】  図７
2004314377.tif 000002
【特許請求の範囲】
【請求項１】
シート状の記録材料を保持する回転ドラムと、前記回転ドラムの回転軸方向へ移動しながら前記回転ドラムに巻き付けられた前記記録材料に画像を記録する画像記録手段と、を筐体内に備える画像記録装置において、
前記筐体の外装カバーの開閉を検知する検知手段と、警告を発生させる警告手段と、を備え、
前記検知手段が前記外装カバーの開放を検知し、前記可動物が作動状態となると前記警告手段が警告を発生することを特徴とする画像記録装置。
【請求項２】
前記可動物が前記回転ドラム及び前記画像記録手段の少なくとも一方を含むことを特徴とする請求項１に記載の画像記録装置。
【請求項３】
前記可動物の動きが停止すると前記警告手段による警告を止めることを特徴とする請求項１または２に記載の画像記録装置。
【請求項４】
前記警告手段が音で警告を発生することを特徴とする請求項１，２または３に記載の画像記録装置。
【請求項５】
前記警告手段が光で警告を発生することを特徴とする請求項１乃至４のいずれか１項に記載の画像記録装置。
【請求項６】
前記警告手段が表示部に警告メッセージを表示させることを特徴とする請求項４または５に記載の画像記録装置。
【請求項７】
前記筐体が複数の外装カバーを有し、前記検知手段を前記各外装カバー毎に備えることを特徴とする請求項１乃至６のいずれか１項に記載の画像記録装置。
【請求項８】
前記記録材料を前記回転ドラムに搬送するとともに前記画像記録後の記録材料を更に搬送する搬送手段を備え、前記可動物に前記搬送手段が含まれることを特徴とする請求項１乃至７のいずれか１項に記載の画像記録装置。
【発明の詳細な説明】
【０００１】
【発明の属する技術分野】
本発明は、回転ドラムの外周面にシート状の記録材料を保持し、回転ドラムを回転させ、画像記録手段を移動させながら画像を記録材料に記録する画像記録装置に関するものである。
【０００２】
【従来の技術】
回転ドラムの外周面にシート状の記録紙を保持し、回転ドラムを回転させ、光学ユニットを移動させながら光ビームで画像を露光する画像記録装置が公知である（下記特許文献１参照）。回転ドラムや光学ユニットは、開閉可能な扉付きの装置筐体内に収容されるが、ユーザが開閉できる扉は限定されており、その扉を開閉すると安全装置が働き、内部の回転ドラムや光学ユニット等の可動物は停止状態となる。
【０００３】
一方、サービスマンが行うメンテナンス作業では、装置内部の可動部を作動させる必要が生じることが多いので、その際は、扉を開放した後に、メンテナンスキーを装置に差し込むことで、装置内部を作動可能な状態としている。また、ユーザ開閉可能な扉以外の外装パネルを取り外し、装置内部の光学ユニット等を作動させることもある。この場合、装置筐体には上述のユーザ開閉可能な扉以外の外装パネルの脱着を検知する手段が装備されていないため、外装パネルを取り外した状態で装置内のユニットを可動させるときのサービスマンに対する安全対策として、危険箇所に対する接触防止カバーをつけたり、移動するユニットについては安全速度内で移動させる、また、装置内部にコーションラべルを貼付して注意喚起を促すなどの安全対策を実施している。
【０００４】
サービスマンが装置の保守・点検・修理などを行う際にメンテナンス時に装置内の部品・ユニット作動させると、場合によっては危険な可動部に触れるなどに危険作業が伴うことがあるので、上述のような安全対策を実施しており、一般的には上記の安全対策でサービスマンに対する安全性は充分確保されていると考えられるが、更なる安全性を高めることが安全対策上必要である。
【０００５】
【特許文献１】
特開２００３−５７８３９公報
【０００６】
【発明が解決しようとする課題】
本発明は、上記従来技術の問題に鑑み、回転ドラムや光学ユニット等の可動物を備える場合にメンテナンス時における安全性を向上させた画像記録装置を提供することを目的とする。
【０００７】
【課題を解決するための手段】
上記目的を達成するために、本発明による画像記録装置は、シート状の記録材料を保持する回転ドラムと、前記回転ドラムの回転軸方向へ移動しながら前記回転ドラムに巻き付けられた前記記録材料に画像を記録する画像記録手段と、を筐体内に備える画像記録装置において、前記筐体の外装カバーの開閉を検知する検知手段と、警告を発生させる警告手段と、を備え、前記検知手段が前記外装カバーの開放を検知し、前記可動物が作動状態となると前記警告手段が警告を発生することを特徴とする。
【０００８】
この画像記録装置によれば、外装カバーを開放した状態でかつ回転ドラムや画像記録手段等の可動物が作動状態のとき、警告を発生するので、メンテナンス時等において制御手段により可動物を作動させる場合に安全性を向上できる。
【０００９】
上記画像記録装置において前記可動物が前記回転ドラム及び前記画像記録手段の少なくとも一方を含む。
【００１０】
また、前記可動物の動きが停止すると前記警告手段による警告を止めるように構成することで、警告の有無で可動物の作動・停止が分かる。
【００１１】
また、前記警告手段が音で警告を発生するように構成でき、また、前記警告手段が光で警告を発生するように構成してもよい。この場合、前記警告手段が表示部に警告メッセージを表示させるようにしてもよい。
【００１２】
また、前記筐体が複数の外装カバーを有し、前記検知手段を前記各外装カバー毎に備えることが好ましい。
【００１３】
また、前記記録材料を前記回転ドラムに搬送するとともに前記画像記録後の記録材料を更に搬送する搬送手段を備え、前記可動物に前記搬送手段が含まれるように構成できる。これにより、搬送手段が作動しているときに、上記警告を発生するようにできる。
【００１４】
【発明の実施の形態】
以下、本発明による実施の形態について図面を用いて説明する。図１は本実施の形態による画像記録装置全体の外観を示す斜視図である。図２は本実施の形態による画像記録装置の内部を正面側から見た図である。図３は図２の画像記録装置の回転ドラム及び光学ユニットを上部から見た要部平面図である。
【００１５】
図１に示すように、画像記録装置１は、記録材料に露光し画像を形成する露光ユニット１１と、露光された記録材料を現像する現像ユニット２１と、を装置の外装を構成する筐体１１ａ内に備える。
【００１６】
露光ユニット１１は、装置全体の操作及び各種情報の表示のための表示部２と、表示部２の近傍にメンテンナンス時等に警告をするためにブザー音等のアラーム音を発生する警告音発生部４８と、表示部２の近傍に同じく警告のために赤色光や黄色光等が点滅する発光ダイオード（ＬＥＤ）等からなる警告発光部４９と、内部にロール状に巻かれたシート状の記録材料である記録紙を収容したカートリッジ１３を給紙カバー３，４の開放後に装填可能な第１及び第２の装填部１２，１２’と、を備える。
【００１７】
現像ユニット２１は、メンテナンスのために開閉可能な上面パネル６と、前面には、現像処理液等の補充等のために開閉可能に設けられた補給パネル７と、を備える。
【００１８】
図２に示すように、本実施の形態による画像記録装置１の露光ユニット１１は、内部にロール状に巻かれたシート状の記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、を備える。
【００１９】
露光ユニット１１は、更に、給送部１４から給送された記録紙を外周面に真空吸引し保持しながら主走査のために回転方向Ｒに回転する回転ドラム１０と、回転ドラム１０上の記録紙に対しＬＥＤ光やレーザ光等の光ビームを露光する光学ユニット１６と、光学ユニット１６を副走査のために副走査方向（図２の紙面垂直方向）に搬送する副走査部１７と、画像記録後の回転ドラム上の記録紙を剥離する剥離部材１８ａと、剥離した記録紙を搬送ローラ対４３へと案内するガイド部１５と、を備える。
【００２０】
露光後の記録紙は出口１９及び接続部１９ａを通して現像ユニット２１へと搬送されるようになっている。なお、搬送ローラ対４０乃至４３はモータ４７（図６）により駆動される。
【００２１】
図２の画像記録装置１の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２２】
図３のように、画像記録装置１の回転ドラム１０は、回転軸部１４’の回転軸１４ａ及び回転軸部１８の回転軸１５ａが軸受３３ａ、３３ｂを介して支持台３４ａ、３４ｂに回転可能に軸支されている。回転ドラム１０の一方の回転軸１５ａには、駆動プーリ３５ａが設けられ、この駆動プーリ３５ａはドラム回転モータＭ６の出力プーリ３５ｂとベルト３６により連結され、ドラム回転モータＭ６の駆動により回転ドラム１０が回転する。また、回転ドラム１０の回転軸１５ａには、ロータリーエンコーダ３７が設けられ、回転パルスを出力して回転ドラム回転に同期した画素クロック制御に用いる。
【００２３】
回転ドラム１０の他方の回転軸１４ａは吸引ブロアＰ１に連結されている。回転ドラム１０の表面には吸着孔３１ｃが回転軸方向に直線状に延びて多数形成されており、吸引ブロアＰ１の駆動により回転ドラム１０の内部が減圧されて記録紙が回転ドラム１０の表面に吸着される。
【００２４】
光学ユニット１６は、副走査部１７により回転ドラム軸と平行に移動可能に構成され、デジタル画像信号を受けて回転ドラム１０に吸着された記録紙に光ビームで露光して画像の書き込みを行う。図３に示すように、光学ユニット１６には、３波長の光源、例えばＢ、Ｇ、Ｒ用の光源としてＬＥＤユニット３２０、ＬＥＤユニット３２１、ＬＥＤユニット３２２が配置されている。各ＬＥＤユニット３２０，３２１，３２２からの光ビームは、ミラー３２５、３２６、３２７を介して、集光レンズ３３１から回転ドラム１０上の記録紙に画像を露光する。露光シャッタ３３２は露光ソレノイド３３３により開閉することで、露光開始／終了時に光路の開閉を行なう。
【００２５】
光学ユニット１６は、移動ベルト３４０に固定され、一対のガイドレール３４１、３４２に案内されて回転ドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６が回転ドラム１０の回転軸方向と平行に移動する。
【００２６】
図３に示すように、吸引ブロアＰ１は空気吸引ポンプにより吸引連結管５１を通して回転ドラム１０内を吸引し、露光ユニット１１による露光開始前に回転ドラム１０内を負圧にし記録紙を外周面に吸着する。
【００２７】
次に、図１乃至図３の画像記録装置１の動作を説明する。まず、図１、図２の露光ユニット１１において、装填部１２または１２’のカートリッジ１３から記録紙を搬送ローラ対４０，４１，４２により給送部１４を通して回転ドラム１０に給送し、記録紙をカッタ１０ａで切断し、吸引ブロアＰ１を作動させ回転ドラム１０の内部を負圧にし、記録紙を回転ドラム１０の外周面に真空吸引し保持し、光学ユニット１６から光ビームを回転ドラム１０上の記録紙に対し露光する。この露光時に回転ドラム１０を回転方向Ｒに回転させて主走査し、光学ユニット１６を副走査部１７で副走査することで、記録紙に画像記録を行う。
【００２８】
上述の画像記録後、剥離部材１８ａが回転ドラム１０に接近し記録紙を回転ドラム１０から剥離した後、記録紙をガイド部１５に導く。記録紙Ｓがガイド部１５で案内されながら搬送され搬送ローラ対４３に達すると、搬送ローラ対４３により記録紙Ｓが出口１９へと送られ、更に現像ユニット２１との間の接続部１９ａに送られる。
【００２９】
次に、現像ユニット２１では、出口１９から接続部１９ａを通して送られてきた露光後の記録紙について現像部２３、定着部２４、安定部２５、乾燥部２６で各処理を行い、画像記録がされた記録紙を搬送ローラ対２７ａ等により排出部２７から装置外部の記録紙受部２８へと排出する。
【００３０】
次に、図１，図２，図４を参照して、露光ユニット１１の筐体１１ａの外装パネルの構成について説明する。図４は、図１，図２の画像記録装置の右側面図（ａ）及び同じく露光ユニット側の背面図（ｂ）である。
【００３１】
図１，図２のように、画像記録装置１の露光ユニット１１は、筐体１１ａの前面から取っ手５ｆを掴むことで開閉可能なように設けられた開閉扉５ａと、筐体１１ａの前面側から開閉可能であり開閉扉５ａの右隣に設けられた外装前面パネル５ｂと、を備える。
【００３２】
また、図１，図４（ａ），（ｂ）のように、筐体１１ａの右側面側から開閉可能な外装側面パネル５ｃと、筐体１１ａの背面側から開閉可能な外装背面パネル５ｄと、筐体１１ａの右上面側から開放可能な外装上面パネル５ｅと、を備える。
【００３３】
開閉扉５ａは、ユーザ等が取っ手５ｆを掴むことで開閉可能であり、検知部８ａでその開閉を検知できる。また、外装前面パネル５ｂ、外装側面パネル５ｃ、外装背面パネル５ｄ及び外装上面パネル５ｅは、それぞれねじ止め等により筐体１１ａに取り付けられ筐体１１ａが閉とされ、メンテナンス時にサービスマンが取り外して筐体１１ａを開にでき、各検知部８ｂ、８ｃ、８ｄ、８ｅでそれぞれの開閉を検知できる。
【００３４】
上記検知部の構成について図５を参照して説明する。図５は外装前面パネル５ｂの検知部８ｂを示す側面図である。
【００３５】
図５のように、検知部８ｂは、比較的小型のボックス状に構成され、ボックスの前面に形成された開口６１と、突起部６２ａが実線のように突き出ているときにオンであり、破線のように押し込まれることでオフとなるオンオフスイッチ６２と、突起部６２ａと当接しオンオフスイッチ６２を作動させるように軸６３ａを中心に回動する当接部材６３と、を備える。オンオフスイッチ６２内で突起部６２ａは図５の実線位置に位置するように付勢されている。
【００３６】
外装前面パネル５ｂが画像記録装置１の所定位置に取り付けられて筐体１１ａが閉とされたとき、外装前面パネル５ｂのＬ型金具６０が先端６０ａから検知部８ｂ内に開口１１を通して入り込むと、先端６０ａにより当接部材６３が押し付けられて回動して突起部６２ａが付勢力に抗して押し込まれることで、オンオフスイッチ６２がオフとなる。
【００３７】
また、外装前面パネル５ｂが画像記録装置１から取り外されて筐体１１ａが開とされたとき、Ｌ型金具６０が検知部８ｂ内から開口１１を通して引き抜かれ、突起部６２ａが実線位置に戻り、オンオフスイッチ６２がオンとなる。
【００３８】
上述のようにして、検知部８ｂは外装前面パネル５ｂの開閉をオン・オフ信号として取り出すことで検知することができる。また、他の検知部８ａ、８ｃ、８ｄ、８ｅも図５と同様に構成されており、開閉扉５ａ、外装側面パネル５ｃ、外装背面パネル５ｄ、及び外装上面パネル５ｅの開閉を同様にして検知する。
【００３９】
図６に図１の画像記録装置１の検知部８ａ乃至８ｅに関する制御系のブロック図を示す。図６の画像記録装置１の制御部５０は、中央演算処理装置（ＣＰＵ）等から構成され、開閉扉５ａ及び各パネル５ｂ乃至５ｅの検知部８ａ乃至８ｅの検知結果に基づいてドラム回転モータＭ６，副走査モータＭ７及び搬送ローラ対４０乃至４３のモータ４７の各動作を制御するとともに、表示部２，警告音発生部４８及び警告発光部４９を制御する。
【００４０】
メンテナンス時等に開閉扉５ａ及びパネル５ｂ乃至５ｅの少なくとも１つを取り外し開放し、この開放を検知部８ａ乃至８ｅが検知した状態で、メンテナンスのために回転ドラム１０を回転させたり、副走査部１７で光学ユニット１６を移動させたり、また搬送ローラ対４０乃至４３を回転させたとき、制御部５０が警告音発生部４８からアラーム音を発生させ、警告発光部４９を点滅発光させることでメンテナンス時等にサービスマンに回転ドラム１０や光学ユニット１６等が作動中であることの注意を喚起する。更に、表示部２にもその旨を表示することでその注意を一層喚起する。
【００４１】
図１乃至図６の画像記録装置１のメンテナンス時の動作について図７のフローチャートを参照して説明する。メンテナンスの開始時に（Ｓ０１）、例えば外装前面パネル５ｂを取り外し開放し（Ｓ０２）、この開放状態を検知部８ｂが検知すると、ドラム回転モータＭ６，副走査モータＭ７及びモータ４７等の筐体１１ａ内の可動物の駆動源を作動不可とする（Ｓ０３）。
【００４２】
次に、メンテナンスのために上記可動物を作動させる場合には（Ｓ０４）、外装前面パネル５ｂを開放したまま、図２、図６のように画像記録装置１に接続したメンテナンス用パーソナルコンピュータＰＣの操作により図６の制御部５０を介してドラム回転モータＭ６や副走査モータＭ７やモータ４７等を作動させるとともに（Ｓ０５）、警告音発生部４８からアラーム音を発生させ、警告発光部４９を点滅発光させ、更に表示部２に「回転ドラムが回転中です。」等の旨を表示することで（Ｓ０６）、メンテナンス時のサービスマンに回転ドラム１０や光学ユニット１６等が作動中であることの注意を喚起することができる。
【００４３】
上述の警告を可動物が停止するまで続け（Ｓ０７）、可動物が停止すると警告も停止する（Ｓ０８）。メンテナンスを続行する場合には（Ｓ０９）、ステップＳ０４に戻る。
【００４４】
以上のように、図１乃至図６の画像記録装置によれば、開閉扉５ａ及びパネル５ｂ乃至５ｅのいずれかを取り外し開放し筐体１１ａを開とした状態で、装置内部の回転ドラム１０や光学ユニット１６等の可動物を作動させると、アラーム音や点滅光を発生させ、表示部に警告を表示し、不用意に作動物に触れることがないように注意を喚起することができ、更に安全性の高いメンテナンス作業環境を提供することができるとともに、画像記録装置におけるサービスマンのメンテナンス作業に対し更に安全性の向上を図ることができる。また、可動物が停止状態になるとアラーム音・点滅光・警告表示を停止させることで、サービスマンは可動物が停止したことを知ることができる。
【００４５】
以上のように本発明を実施の形態により説明したが、本発明はこれらに限定されるものではなく、本発明の技術的思想の範囲内で各種の変形が可能である。例えば、可動物としては、他の可動部分も含み、例えば、図２のガイド部１５は記録紙を搬送するときに閉じられるとともに回転ドラム１０の下流側で記録紙をアキュームするときに開放されるが、このようなガイド部１５も可動物に含まれる。
【００４６】
また、警告発光部４９の発光は点滅以外の常時発光等でもよいことは勿論であり、また、警告音発生部４８からのアラーム音はブザー音以外の各種の警告音であってもよい。
【００４７】
また、上記警告は、図２、図６のように画像記録装置１に接続したメンテナンス用パーソナルコンピュータＰＣの画面上に「回転ドラムが回転中です。」等の表示をしたり、音声発生部からアラーム音を発生させることで行ってもよい。
【００４８】
【発明の効果】
本発明の画像記録装置によれば、回転ドラムや光学ユニット等の可動物を備える場合にメンテナンス時における安全性を向上させることができる。
【図面の簡単な説明】
【図１】本実施の形態による画像記録装置全体の外観を示す斜視図である。
【図２】図１の画像記録装置の内部を正面側から見た図である。
【図３】図２の画像記録装置の回転ドラム及び光学ユニットを上部から見た要部平面図である。
【図４】図１，図２の画像記録装置の右側面図（ａ）及び図１，図２の画像記録装置の露光ユニット側の背面図（ｂ）である。
【図５】図１，図２の外装前面パネル５ｂの検知部８ｂの構成を示す側面図である。
【図６】図１の画像記録装置１の検知部８ａ乃至８ａに関する制御系のブロック図である。
【図７】図１乃至図６の画像記録装置１のメンテナンス時の動作を説明するためのフローチャートである。
【符号の説明】
１・・・画像記録装置
１０・・・回転ドラム
１１・・・露光ユニット
１１ａ・・・筐体
１６・・・光学ユニット
１７・・・副走査部
２１・・・現像ユニット
４０〜４３・・・搬送ローラ対
５ａ・・・開閉扉（外装カバー）
５ｂ〜５ｅ・・・外装パネル（外装カバー）
８ａ〜８ｅ・・・検知部
２・・・表示部
４８・・・警告音発生部
４９・・・警告発光部
５０・・・制御部
【図１】
2004314377.tif 000003
【図２】
2004314377.tif 000004
【図３】
2004314377.tif 000005
【図４】
2004314377.tif 000006
【図５】
2004314377.tif 000007
【図６】
2004314377.tif 000008
【図７】
2004314377.tif 000009